(57)【特許請求の範囲】
【請求項１】
ビーズ（１５）で装飾した複数本の糸で構成される布地を形成する装置（１）であって、前記装置（１）は、タテ糸（３）を製織部（５）に供給する方向を制御する複数個のコード（７）を介してタテ糸（３）を製織部（５）に供給する糸ホルダ（２）を備え、前記製織部（５）は、タテ糸（３）が通過し布地（８）を形成する棒状体（１１）と協働するリード（９）を備え、前記製織部（５）は、さらに、タテ糸（３）間にヨコ糸（１４）を挿入するようにヨコ糸を移動するのに適する少なくとも１組の挟み部（１３）を備える装置において、前記棒状体（１１）は、前記リード（９）と向かい合い前記ヨコ糸（１４）の通過領域内に設けられる凹み部（１６）を備え、前記少なくとも１組の挟み部（１３）は、少なくとも、両側壁が互いに近付きあう第１挟持部（１８）と、第１挟持部と向かい合う第２挟持部（１９）とを有する装置。
【請求項２】
前記互いに近付きあう両側壁は、前記第１挟持部（１８）の三角形状の外形を構成する請求項１に記載の装置（１）。
【請求項３】
前記第１挟持部（１８）の三角形状の外形の頂点は、平滑化又は面取りされている請求項１に記載の装置（１）。
【請求項４】
前記挟み部（１３）の第２挟持部（１９）は、前記第１挟持部（１８）と向かい合う面が、平面である請求項１に記載の装置（１）。
【請求項５】
前記挟み部（１３）の第２挟持部（１９）は、前記第１挟持部（１８）と向かい合う面に、前記第１挟持部の三角形状部分が少なくとも部分的に入り込む凹部が形成される請求項１に記載の装置（１）。
【請求項６】
前記リード（９）は、前記タテ糸（３）が通過する複数個の開口部（２６）を形成する複数個の歯状突起（２５）を備え、前記リード（９）には、１ｃｍ毎に少なくとも１個の歯状突起（２５）が、形成される請求項１に記載の装置（１）。
【請求項７】
前記装置（１）は、ジャカード機である請求項１に記載の装置（１）。
【請求項８】
前記装置（１）は、前記コード（７）の各々を他のコードから独立して制御する電子式ジャカード機である請求項７に記載の装置（１）。
【発明の詳細な説明】
【技術分野】
【０００１】
本発明は、ビーズで装飾した複数本の糸で構成される布地を形成する装置、及びビーズで装飾した複数本の糸で構成される布地に関する。
【背景技術】
【０００２】
公知のように、種々の方法で装飾された、例えば、種々のヨコ糸を組み合わせたり、色を組み合わせたり、極めて複雑な図柄を表したりした布地を形成する種々の繊維機械がある。
【０００３】
しかしながら、ファッション業界は、絶え間なく新規な製品、特に、消費者にとって新規で興味をそそる特徴を衣服にもたらす布地を求めている。
【０００４】
この点、ガラス、プラスチック、水晶又は金属で形成したビーズ（以下、ビーズとは、球状の若しくはカット面を付けた形状の部材、又は、その他の幾何学形状をした固体部材を意味する）で装飾された布地は、消費者にいつも大きな評価を受けている。
【０００５】
しかしながら、ビーズを装飾モチーフとした布地を開発することは、現在でも必要である。
【０００６】
実際、ヨコ糸にビーズを直接取り付けた布地の製造は、現存する繊維機械では実施不可能と考えられていた。これは、現存する繊維機械は、運転中、不可避的にビーズに損傷をもたらし、市販できない欠陥商品が作り出されるためである。
【発明の概要】
【発明が解決しようとする課題】
【０００７】
そこで、本発明の技術的目的は、公知技術において問題となっている技術的課題を解消できる装置を提供することにある。
【０００８】
この技術的目的において、本発明の目的は、ヨコ糸（全てのヨコ糸にビーズが装着されている場合と、一部のヨコ糸のみにビーズが装着されている場合の双方を含む）と、これに装着され（例えば、糸を通され又はその他の方法で拘束され）、ヨコ糸に比べてサイズが大きいビーズ又は球体若しくは幾何学形状をした固体部材で実質的に硬質な部材で形成された装飾モチーフ体とで構成される布地を提供することにある。ビーズは、例えば、直径が数ｍｍ（２又はあ３ｍｍ以上）である、プラスチック材料、ガラス、水晶、金属若しくはその他の材料で形成された部材で構成される。
【０００９】
また、本発明の目的は、ヨコ糸がビーズを装着した複数本の糸で構成された布地を製造できる装置を提供することにある。
【課題を解決するための手段】
【００１０】
技術的課題は、上述した目的及びその他の目的とともに、本発明に従って、添付の請求の範囲に記載したビーズで装飾した複数本の糸で構成された布地を形成する装置、及びビーズで装飾した複数本の糸で構成された布地を提供することにより達成される。
【００１１】
本発明のこの他の特徴及び特有の効果については、添付図面に例示として非限定的に示した、本発明による布地及び装置の好ましい非限定的な実施形態についての説明からさらに明らかとなる。
【図面の簡単な説明】
【００１２】
【図１】本発明による装置の概略図を示すものである。
【図２】図１の装置のコーム部の概略図を示すものである。
【図３】図２とは、異なる動作位置にある、図１の装置のコーム部の概略図を示すものである。
【図４】互いに向き合った入口側挟み部と出口側挟み部の図を示すものである。
【図５】図１の装置の両挟み部の側面図を示すものである。
【図６】異なる実施形態における両挟み部の正面図を示すものである。
【図７】さらに異なる実施形態における両挟み部の正面図を示すものである。
【図８】さらに異なる実施形態における両挟み部の正面図を示すものである。
【図９】さらに異なる実施形態における両挟み部の正面図を示すものである。
【図１０】三角形形状の挟持部の一部の拡大断面図を示すものである。
【図１１】棒状体の断面図を示すものである。
【図１２】棒状体に取り付けられるコーム部の概略斜視図を示すものである。
【図１３】本発明による布地の一部を示すものである。
【発明を実施するための形態】
【００１３】
上述の添付図面において、布地を形成する装置は、全体を符号１により示す、ビーズで装飾した糸を取り扱うものを示してある。
【００１４】
特に、タテ糸は、互いに平行になった、単糸又は撚糸で構成され、ヨコ糸は、ガラス、水晶若しくはプラスチック材料、金属、又はその他の材料製の複数個のビーズが、例えば、ビーズの穴に通すことにより取り付けた単糸で構成される。ヨコ糸となる糸は、ビーズを取り付けた単糸、又はビーズを取り付けた撚糸で構成してもよい。この点、ビーズには、それぞれが撚糸で構成される第１の糸が挿入され、撚糸で構成される第２の糸は、第１の糸の周囲にもつれさせられて、ビーズは、所定方向において実質的に拘束されるが、ビーズは、第１の糸自体に沿ってはある程度の移動が可能となるようになっている。
【００１５】
本発明の装置１は、タテ糸ビーム４から複数本のタテ糸３を受け取り、全てのタテ糸を同一面に揃え、タテ糸の端部の張力を調整することにより製織部５に供給する糸ホルダ２を備える。
【００１６】
特に、（公知のように、）タテ糸は、タテ糸を製織部５に供給する方向を制御する複数個のコード７（ジャカード機７ａに接続されたもの）を介して、製織部５に供給される。
【００１７】
こうして、コード７は、一部のタテ糸３ａを製織部５に水平方向に供給し、他のタテ糸３ｂを製織部５に上方から供給するように制御する。
【００１８】
製織部５は、タテ糸３ａ、３ｂ（水平方向のタテ糸と下降するタテ糸）が、通り、布地８を形成する棒状体１１と協働するリード９を備える。
【００１９】
公知のように、製織部５は、また、ヨコ糸１４（ビーズ１５を取り付けたもの）をタテ糸３ａ、３ｂ間に挿入するように動かすのに適した挟み部１３を少なくとも備える。
【００２０】
特に、本発明の装置は、２個の挟み部１３を備え、第１挟み部により、形成される布地の半幅に対応する工程をカバーするヨコ糸を担当し（入口側挟み部）、第２挟み部により、形成中の布地の中間部でヨコ糸を受け取り、形成する布地の残り半幅に対応するストロークに沿ってヨコ糸を移動する（出口側挟み部）。
【００２１】
入口側挟み部１３ａは、挟持部１８、１９と、移動される糸用の支持部３０を備え、同様に、出口側挟み部１３ｂは、挟持部１８、１９を備える（糸用の支持部３０は備えず、挟み部は、１個でもよい）。
【００２２】
両挟み部１３ａ、１３ｂは、駆動ロッド３３、３４と各々一体化している。
【００２３】
挟み部１３のそれぞれは、外側両側壁が互いに近付き合う第１把持部１８と、第１把持部と向かい合う第２把持部１９とを備え、好ましくは、第１把持部１８は、面取りされた頂点３５を備えた実質的に三角形状の外形を有する。
【００２４】
こうして、挟み部１３は、ヨコ糸１４をしっかりと確実に把持でき、ビーズ１５が、挟み部１３の挟持部１８、１９の間に引っ掛かる虞がない。実際、こうしたことが起きると、ヨコ糸１４は、挟み部１３から外れて、装置１は、停止される。
【００２５】
つまり、ビーズ１５が、挟持部１８、１９の間に挟まったままの状態で、挟み部１３の挟持部が、ヨコ糸１４をしっかりと掴むと、挟持部１８、１９により加わる圧力と、第１挟持部１８の独特の三角形状の外形とが相俟って、限られた範囲内でビーズがヨコ糸に沿って移動して、挟持部１８、１９に挟まった位置からビーズが抜け出る。反対に、ヨコ糸１４は、第１挟持部１８の頂点と第２挟持部１９との間に引っ掛ったままになる。
【００２６】
図５乃至９は、挟み部の挟持部の種々の実施形態を示すもので、三角形状の上部挟持部（第１挟持部）と平坦な下部挟持部（第２挟持部）とからなるもの、三角形状の上部挟持部（第１挟持部）とありみぞ形の下部挟持部（Ｖ字形の溝と持つ第２挟持部）とからなるもの、Ｖ字形の溝に三角形状部が嵌まってヨコ糸を維持するもの、平坦な上部挟持部（第２挟持部）と三角形状の下部挟持部１８（第１挟持部）とからなるもの、及びありみぞ形の上部挟持部（第２挟持部）と三角形状の下部挟持部（Ｖ字形の溝に嵌まる第１挟持部）とからなるものとがある。
【００２７】
棒状体１１は、リード９と向かい合いヨコ糸の通過領域（水平方向のタテ糸３ａの通過領域でもある）に設けられた凹み部１６を備える。
【００２８】
さらに、公知のように、棒状体には、布地を上げたままにするテンプルを挿入する溝１１ａが形成される。
【００２９】
図示のように、棒状体１１は、正方形の形状をしていて、凹み部１６は、面取りにより形成される。
【００３０】
リード９には、タテ糸３が通る複数個の開口部２６を構成する複数個の歯状突起２５が形成される。
【００３１】
好ましくは、リード９は、リード９の１ｃｍ毎に少なくとも１個の歯状突起２５が、より好ましくは、リード９の１ｃｍ当たりに少なくとも３個の歯状突起２５が、さらに好ましくは、リード９の１ｃｍ当たりに約３．３個の歯状突起２５が形成される。
【００３２】
このように、ビーズ１５は、直径が２又は３ｍｍで、開口部２６の幅よりも直径が小であるので、リード９が、棒状体１１に当たると、ビーズ１５は、開口部２６内に入り、歯状突起２５を損傷する（例えば、歯状突起に傷をつけたり欠けさせたりする）ほどに激しく衝突するのが避けられる。実際、運転中に損傷した（傷が付いた又は欠けた）歯状突起は、ヨコ糸１４及び／又はタテ糸３に破断を起こし易い。
【００３３】
特に、各コード７を他の全てのコードと独立して制御する電子的なジャカード機である（各コードが、他のコードとは独立して上昇される）場合、上記のようにすることにより、各コード７の上昇を制御でき、ひいては、製織部５への各タテ糸３の供給方向を制御できる。
【００３４】
このため、装置の運転速度が増加し、挟み部１３は、タテ糸３を横切り始めると、挟み部１３により越えられた各コード７は、移動でき、挟み部１３が、布地の全幅を横切るのを待つ必要がない。
【００３５】
本発明による装置の動作は、上述の説明及び図示により明らかであると思われるが、特に、概略は、次の通りである。
【００３６】
複数本のタテ糸３が、タテ糸ビーム４から巻き戻され、糸ホルダ２上を滑走し、複数個のコード７の小穴を通り、次いで、リード９を通って、布地８を形成する。
【００３７】
図２には、リード９が、棒状体１１から離れている動作段階を示してある。
【００３８】
この段階では、第１挟み部１３ａが、ヨコ糸１４を挟持して布地幅の半分、ほぼ中間点（公知である）までタテ糸３を横断させ、第１挟み部１３ａは、ヨコ糸１４を第２挟み部１３ｂに渡す。
【００３９】
挟み部１３のそれぞれは、ヨコ糸１４を挟持して確実に保持できるようになっている。
【００４０】
挟み部が、全幅に亘ってヨコ糸に全てのタテ糸３（すなわち、形成された布地）を横断させると、リード９は、矢印Ｆ１に示すように回転して棒状体１１に当たり、タテ糸にヨコ糸を押し当てる。
【００４１】
リード９が、棒状体１１に当たると（図３）、ビーズ１５は、凹み部１６に入るので、ビーズは、棒状体１１に激しく衝突しなくて済み、ビーズの破損が回避される。
【００４２】
さらに、歯状突起２５間に設けた開口部は、十分な幅を有しているので、ビーズ１５（凹み部１６に入るときにすら）歯状突起２５に当たって損傷することが回避される。こうした損傷は、リード９の運転寿命を相当に制限することになる。
【００４３】
さらにまた、リード９は、図２の位置に再び戻り、コード７は、移動して、布地に施す必要がある所望の図柄に応じて、製織部５の方へのタテ糸３の供給方向を修正する。
【００４４】
タテ糸３は、前進して、新たなヨコ糸１４が、タテ糸に挿入される。
【００４５】
本発明は、ヨコ糸１４となるビーズ１５で装飾した糸と、天然、合成、人造、鉱物若しくは金属繊維又はその他の繊維で形成され、タテ糸となる糸３（ビーズのないもの）とで構成される布地８も対象とする。
【００４６】
好ましくは、ヨコ糸１４は、ビーズが装着された、天然（動物性又は植物性）、合成、人造、鉱物若しくは金属繊維又はその他の繊維で形成された糸で構成される。
【００４７】
好ましくは、ビーズは、各ビーズが、制限された領域内に拘束されてはいるが、ヨコ糸１４上をスライド移動できるように、ヨコ糸１４に装着される。
【００４８】
この点に関し、ヨコ糸１４は、撚糸（例えば、図示のように３本の糸を互いに撚ったもの）で構成され、ビーズには、貫通穴が形成され、３本の撚糸のうちの第１糸が貫通穴に挿入され、ビーズが第１糸に沿ったスライド移動を制限するように、残りの２本が第１糸に撚り合わされる（すなわち、よじられる）。
【００４９】
スライド移動は、回避されるが、このように構成されるヨコ糸１４は、ビーズが、限られた範囲ｔ内でのスライド移動することは許容される。
【００５０】
ビーズは、水晶、ガラス若しくはプラスチック材料、金属、又はその他の材料で形成される。好ましくは、ビーズは、直径が２若しくは３ｍｍ、又はその他の（大若しくは小の）サイズをした水晶である。
【００５１】
実際上、本発明による装置は、消費者に高く評価される布地を、短時間に経済的見地で有利に製造できるので、極めて有益であることが示された。
【００５２】
実際上、使用する材料は、サイズとともに、必要に応じて又時代に応じて、制約はない。
【図１】
0005576858.tif 000002
【図２】
0005576858.tif 000003
【図３】
0005576858.tif 000004
【図４】
0005576858.tif 000005
【図５】
0005576858.tif 000006
【図６】
0005576858.tif 000007
【図７】
0005576858.tif 000008
【図８】
0005576858.tif 000009
【図９】
0005576858.tif 000010
【図１０】
0005576858.tif 000011
【図１１】
0005576858.tif 000012
【図１２】
0005576858.tif 000013
【図１３】
0005576858.tif 000014